【事件の表示】
　特願２０１８−２２６８８１号「照明器具」拒絶査定不服審判事件〔平成３１年４月４日出願公開、特開２０１９−５４００１号〕について、次のとおり審決する。
【結　論】
　本件審判の請求は、成り立たない。
【理　由】
第１　手続の経緯
　本願は、平成２５年５月２７日（以下「原出願日」という。）に出願した特願２０１３−１１１３６９号を原出願とし、さらに、特願２０１４―５８４２９号（出願日：平成２６年３月２０日）、特願２０１７―１３６０９９号（出願日：平成２９年７月１２日）を新たな出願とした後に、同特願２０１７―１３６０９９号の一部を平成３０年１２月３日に新たな出願としたものであって、その手続の経緯は以下のとおりである。
平成３０年１２月　３日付け：上申書の提出
令和　１年　９月　５日付け：拒絶理由通知書
令和　１年１１月　７日付け：意見書、手続補正書の提出
令和　２年　４月　７日付け：拒絶査定
令和　２年　７月１４日　　：審判請求書、手続補正書の提出
第２　令和２年７月１４日付けの手続補正についての補正の却下の決定
［補正の却下の決定の結論］
　令和２年７月１４日付けの手続補正（以下「本件補正」という。）を却下する。
　
［理由］
１　本件補正について（補正の内容）
（１）本件補正後の特許請求の範囲の記載
　本件補正により、特許請求の範囲の請求項１の記載は、次のとおり補正された。（下線部は、補正箇所である。）
「【請求項１】
　
支持体とカバーと保持部材を有し、前記カバーが前記支持体に支持された基板を覆う
　前記光源モジュールの少なくとも一部を収容する凹部を有する筐体と；
　前記筐体に設けられ、前記凹部に収容された前記光源モジュール
の前記保持部材
　を備え、
　前記筐体は、
　　前記光源モジュールと対向する対向面と、前記対向面と反対側を向く反対面と、を有する底板部と、
　　前記底板部の両側端から前記対向面の向く方向に延び、前記底板部とともに前記凹部を形成する一対の側板部と、
　　前記一対の側板部の前記底板部と反対側の端部から前記反対面の向く方向かつ前記底板部よりも外側に向かって斜めに延びる一対の傾斜板部と、
　　前記一対の傾斜板部の前記一対の側板部と反対側の端部から前記一対の側板部側に向かって延びる一対の端板部と、
　を有し、
　前記一対の端板部は、前記底板部よりも前記反対面の向く側に位置し、前記筐体を天井に設置する際に、天井面に当接し、
　前記底板部
は、
　
前記突起部は、前記取付ばねの近傍
　
（２）本件補正前の特許請求の範囲
　本件補正前の、令和１年１１月７日付けの手続補正により補正された特許請求の範囲の請求項１の記載は次のとおりである。
「【請求項１】
　長尺状の光源モジュールを着脱可能に支持する器具本体であって、
　前記光源モジュールの少なくとも一部を収容する凹部を有する筐体と；
　前記筐体に設けられ、前記凹部に収容された前記光源モジュールと係合することにより、前記光源モジュールの前記凹部から抜ける方向への移動を規制する取付バネと；
　を備え、
　前記筐体は、
　　前記光源モジュールと対向する対向面と、前記対向面と反対側を向く反対面と、を有する底板部と、
　　前記底板部の両側端から前記対向面の向く方向に延び、前記底板部とともに前記凹部を形成する一対の側板部と、
　　前記一対の側板部の前記底板部と反対側の端部から前記反対面の向く方向かつ前記底板部よりも外側に向かって斜めに延びる一対の傾斜板部と、
　　前記一対の傾斜板部の前記一対の側板部と反対側の端部から前記一対の側板部側に向かって延びる一対の端板部と、
　を有し、
　前記一対の端板部は、前記底板部よりも前記反対面の向く側に位置し、前記筐体を天井に設置する際に、天井面に当接し、
　前記底板部は、前記反対面に設けられ、前記反対面よりも前記反対面の向く方向に突出した突起部を有し、
　前記突起部の前記反対面からの高さは、前記一対の端板部の前記反対面からの高さ以下であることを特徴とする器具本体。」
２　補正の適否
　本件補正は、本件補正前の請求項１に記載された発明を特定するために必要な事項である「長尺状の光源モジュール」に関し、「支持体とカバーと保持部材を有し、前記カバーが前記支持体に支持された基板を覆う」ことを限定し、「取付バネ」に関し、「光源モジュールの前記保持部材と係合すること」を限定し、「突起部」に関し、「前記突起部は、前記取付ばねの近傍に設けられ」ることを限定するものであって、補正前の請求項１に記載された発明と補正後の請求項１に記載される発明の産業上の利用分野及び解決しようとする課題が同一であるから、特許法１７条の２第５項２号の特許請求の範囲の減縮を目的とするものに該当する。
　そこで、本件補正後の請求項１に記載される発明（以下「本件補正発明」という。）が同条第６項において準用する同法第１２６条第７項の規定に適合するか（特許出願の際独立して特許を受けることができるものであるか）について、以下、検討する。
（１）本件補正発明
　本件補正発明は、上記１（１）に記載したとおりのものである。
　
（２）引用文献の記載事項等
（２−１）引用文献１
ア　記載事項
　原査定の拒絶の理由で引用された本願の原出願日前に頒布された引用文献である、特開２０１２−３９９３号公報（以下「引用文献１」という。）には、図面とともに、次の記載がある。（下線は、当審で付した。以下同様。）
「【技術分野】
【０００１】
　本発明の実施形態は、ＬＥＤ等の発光素子を光源として用いる照明器具に関する。」
「【００１１】
　図１乃至図４において、天井面へ設置される天井直付けタイプの照明器具が示されており、この照明器具は、逆富士型をなしていて、横長であって長尺状をなす器具本体１と、この器具本体１に配設された光源部２及び点灯装置３と、
光源部２を器具本体１に取付けて保持する係止部材４とを備えている。
【００１２】
　図６及び図７の参照を加えて示すように、
器具本体１は、亜鉛めっき鋼板を折曲して形成され、長手方向に沿って略中央部に収容凹部１１が形成されている。収容凹部１１は、天板部１１ａと、この天板部１１ａの両側から前面側に直角に垂下するように折曲されて形成された側壁１１ｂとから構成されている。また、収容凹部１１の開口部側であって幅方向の両側、すなわち、側壁１１ｂの前面側の両側は、側面視、略Ｖ字状に折曲されて収容凹部１１に沿って側板部１１ｃが形成されている。したがって、側板部１１ｃは、側面形状が背面方向へ拡がる傾斜面を備えている。
【００１３】
　この収容凹部１１及び側板部１１ｃは板材を折曲して一体的に形成されており、少なくともこれらの前面側の表面は、光の反射率が高くなるように白色の塗装が施されている。したがって、側板部１１ｃの傾斜面における表面は、反射面をなしていて、側板部１１ｃは、反射板として機能するようになっている。
【００１４】
　収容凹部１１の側板部１１ｃにおける長手方向の両端部には、一対の係止爪通過孔１１ｄが形成されている。この係止爪通過孔１１ｄには、後述する係止部材４の係止爪４ａが配置されるようになっている。また、この一対の係止爪通過孔１１ｄと対向するように側板部１１ｃには、解除孔１１ｅが形成されている。この解除孔１１ｅは、後述するように係止部材４の係止爪４ａを解除操作するために用いられる。
【００１５】
　また、主として図２及び図６に示すように、
器具本体１の背面側、すなわち、天板部１１ａの両端側には、一対の取付穴１１ｆが形成されている。この取付穴１１ｆには、天井の構造体に設けられた一対の取付ボルトＢｔが外面側から貫通し、器具本体１が天井面に設置されるようになっている。なお、取付穴１１ｆの周囲には、取付穴１１ｆを補強するために、背面側へドーム状に突出する補強部１１ｇが形成されている。
光源部２は、取付部材２１と、複数の発光素子２２が実装された基板２３と、カバー部材２４とを備えている。
【００１６】
　図８及び図９の参照を加えて示すように、
取付部材２１は、器具本体１と同様に、横長であって長尺状に形成されており、長手方向に沿って平坦な取付面２１ａと、この取付面２１ａの両側から背面方向へ直角に立ち上がった第１の側壁２１ｂと、この第１の側壁２１ｂから水平方向に延出し、さらに背面方向に向かって内側に傾斜状に立ち上がった第２の側壁２１ｃとを有している。また、第１の側壁２１ｂにおける取付面２１ａ側には、複数の切起し片２１ｄが略等間隔に幅方向の外側に突出して形成されている。
取付部材２１には、亜鉛めっき鋼板やアルミニウムの板材等の熱伝導が良好な材料が用いられている。
【００１７】
　基板２３は、略長方形状に形成されており、複数、すなわち、４枚の基板２３が直線状に並べられて取付部材２１の取付面２１ａにねじ止め等によって、その裏面側が取付面２１ａに密着するように取付けられている。
「【００２３】
　このように構成されたカバー部材２４は、複数の発光素子２２が実装された基板２３を覆うように取付部材２１に取付けられている。具体的には、図４に示すように、カバー部材２４の一対の嵌合溝２４ａに取付部材２１の切起し片２１ｄがスライドして嵌合し、取付けられるようになっている。 
光源部２は、取付部材２１と、複数の発光素子２２が実装された基板２３と、カバー部材２４とが組合わされて一体化されて構成されている。
「【００２７】
　係止部材４は、図１２及び図１３の参照を加えて示すように、ステンレス材料等のばね材によって略コ字状に折曲して形成されている。また、係止部材４の両端には、係止爪４ａが内側に折曲して形成されている。この係止部材４は、図２乃至図４に示すように、器具本体１の収容凹部１１の両端部側に外側から重合するように一対取付けられる。より詳しくは、図４に示すように、係止爪４ａが収容凹部１１の係止爪通過孔１１ｄを通って配置され、収容凹部１１の外側にねじ等の固定手段（図３参照）によって取付けられるようになっている。　
このように構成された係止部材４には、
図５に示すように、光源部２が取付けられる。つまり、収容凹部１１の開口部側を覆うように光源部２が配設される。
【００２８】
　光源部２を器具本体１に対して図示矢印方向に移動すると、取付部材２１の傾斜状の第２の側壁２１ｃが係止部材４の係止爪４ａに当接する。この状態からさらに光源部２の移動を進め、係止爪４ａの弾性に抗して収容凹部１１に押し込むようにすることにより、係止爪４ａが第２の側壁２１ｃによって外側に弾性変形し、光源部２が収容凹部１１内へ移動する。そして、第２の側壁２１ｃが所定量収容凹部１１内へ入ると、係止爪４ａの弾性変形が解かれ、取付部材２１が係止爪４ａによって所定位置に係合保持される（図４参照）
この場合、第２の側壁２１ｃは、傾斜状に形成されているので、係止爪４ａとの関係において、光源部２の取付けを円滑に行うことができる。」
「【００３０】
　まず、設置にあたっては、図５に示すように、天井の構造体に設けられた一対の取付ボルトＢｔを外面側から器具本体１の天板部１１ａの取付穴１１ｆに通し、この取付ボルトＢｔに天板部１１ａの内面側からワッシャを介してナットＮｔを締め付ける。これにより、
天板部１１ａの外面側の補強部１１ｇ及び側板部１１ｃの背面側一端部が天井面Ｃに密着して器具本体１は、天井面Ｃに設置される。
　以下の図面が示されている。
イ　認定事項
　段落【００１１】の「光源部２を器具本体１に取付けて保持する係止部材４とを備えている。」との記載から、引用文献１には、光源部２を取付けて保持する係止部材４を備えている器具本体１が記載されているものと認められるところ、さらに以下の事項が認定できる。
（ア）
・段落【００１２】の「
器具本体１は、亜鉛めっき鋼板を折曲して形成され、長手方向に沿って略中央部に収容凹部１１が形成され
開口部側を覆うように光源部２が配設される
・段落【００１２】の「
収容凹部１１は、天板部１１ａと、この天板部１１ａの両側から前面側に直角に垂下するように折曲されて形成された側壁１１ｂとから構成され
収容凹部１１の
側壁１１ｂの前面側の両側は、側面視、略Ｖ字状に折曲されて収容凹部１１に沿って側板部１１ｃが形成され
側板部１１ｃは、側面形状が背面方向へ拡がる傾斜面を備え
光源部２と対向する内面と前記内面と反対側を向く外面とを有する
一対
・段落【００３０】の「側板部１１ｃの
背面側一端部
・段落【００２７】の「
係止部材４は、
ばね材によって略コ字状に折曲して形成されている
係止部材４の両端には、係止爪４ａが内側に折曲して形成され
係止爪４ａが収容凹部１１の係止爪通過孔１１ｄを通って配置され、収容凹部１１の外側にねじ等の固定手段
によって取付けられるようになっている
天板部１１ａの
・段落【００１４】の「
収容凹部１１の側板部１１ｃに
は、一対の係止爪通過孔１１ｄが形成され
この係止爪通過孔１１ｄには、
係止部材４の係止爪４ａが配置されるようになって
また、この一対の係止爪通過孔１１ｄと対向するように側板部１１ｃには、解除孔１１ｅが形成されている
係止爪４ａを解除操作するために用いられる
　
（イ）
・段落【００２３】の「
光源部２は、取付部材２１と、複数の発光素子２２が実装された基板２３と、カバー部材２４とが組合わされて一体化されて構成され
取付部材２１は、器具本体１と同様に、横長であって長尺状に形成されており、長手方向に沿って平坦な取付面２１ａと、この取付面２１ａの両側から背面方向へ直角に立ち上がった第１の側壁２１ｂと、この第１の側壁２１ｂから水平方向に延出し、さらに背面方向に向かって内側に傾斜状に立ち上がった第２の側壁２１ｃとを有
・段落【００１７】の「
基板２３は、
取付部材２１の取付面２１ａにねじ止め等によって、その裏面側が取付面２１ａに密着するように取付けられ
・段落【００２３】の「 このように構成された
カバー部材２４は、複数の発光素子２２が実装された基板２３を覆うように取付部材２１に取付けられている
カバー部材２４の一対の嵌合溝２４ａに取付部材２１の切起し片２１ｄがスライドして嵌合し、
（ウ）段落【００２８】の「
光源部２を器具本体１に対して
移動すると、取付部材２１の傾斜状の第２の側壁２１ｃが係止部材４の係止爪４ａに当接
この状態からさらに光源部２の移動を進め、係止爪４ａの弾性に抗して収容凹部１１に押し込むようにすることにより、係止爪４ａが第２の側壁２１ｃによって外側に弾性変形し、光源部２が収容凹部１１内へ移動
そして、第２の側壁２１ｃが所定量収容凹部１１内へ入ると、係止爪４ａの弾性変形が解かれ、取付部材２１が係止爪４ａによって所定位置に係合保持される
（エ）段落【００１５】の「
器具本体１の背面側
天板部１１ａの
取付穴１１ｆが形成され
この取付穴１１ｆには、天井の構造体に設けられた
取付ボルトＢｔが外面側から貫通し、器具本体１が天井面に設置されるようになって
取付穴１１ｆの周囲には、取付穴１１ｆを補強するために、背面側へドーム状に突出する補強部１１ｇが形成されている
　段落【００３０】の「
天板部１１ａの外面側の補強部１１ｇ及び側板部１１ｃの背面側一端部が天井面Ｃに密着して器具本体１
設置される
ウ　上記ア、イから、引用文献１には、次の発明（以下「引用発明」という。）が記載されていると認められる。
「光源部２を取付けて保持する係止部材４を備えている器具本体１であって、
　前記器具本体１は、亜鉛めっき鋼板を折曲して形成され、長手方向に沿って略中央部に、開口部側を覆うように光源部２が配設される収容凹部１１が形成され、この収容凹部１１は、光源部２と対向する内面と前記内面と反対側を向く外面とを有する天板部１１ａと、この天板部１１ａの両側から前面側に直角に垂下するように折曲されて形成された一対の側壁１１ｂとから構成され、前記収容凹部１１の前記側壁１１ｂの前面側の両側は、側面視、略Ｖ字状に折曲されて前記収容凹部１１に沿って側板部１１ｃが形成され、この側板部１１ｃは、側面形状が背面方向へ拡がる傾斜面を備えるとともに、前記一対の側板部１１ｃの前記一対の側壁１１ｂと反対側の端部から前記一対の側板部１１ｃ側に向かって延びる一対の背面側一端部が形成され、
　前記係止部材４は、ばね材によって略コ字状に折曲して形成されているとともに、前記係止部材４の両端には、係止爪４ａが内側に折曲して形成され、この係止爪４ａが前記収容凹部１１の係止爪通過孔１１ｄを通って配置され、前記収容凹部１１の前記天板部１１ａの外側にねじ等の固定手段によって取付けられるようになっており、
　前記収容凹部１１の前記一対の側壁１１ｂにには、前記一対の係止爪通過孔１１ｄが形成され、この係止爪通過孔１１ｄには、前記係止部材４の係止爪４ａが配置されるようになっており、また、この一対の係止爪通過孔１１ｄと対向するように前記側板部１１ｃには、係止爪４ａを解除操作するために用いられる解除孔１１ｅが形成され、
　前記光源部２は、取付部材２１と、複数の発光素子２２が実装された基板２３と、カバー部材２４とが組合わされて一体化されて構成され、
　前記取付部材２１は、前記器具本体１と同様に、横長であって長尺状に形成されており、長手方向に沿って平坦な取付面２１ａと、この取付面２１ａの両側から背面方向へ直角に立ち上がった第１の側壁２１ｂと、この第１の側壁２１ｂから水平方向に延出し、さらに背面方向に向かって内側に傾斜状に立ち上がった第２の側壁２１ｃとを有し、
　前記基板２３は、前記取付部材２１の前記取付面２１ａにねじ止め等によって、その裏面側が前記取付面２１ａに密着するように取付けられ、
　前記第１の側壁２１ｂにおける前記取付面２１ａ側には、複数の切起し片２１ｄが略等間隔に幅方向の外側に突出して形成され、前記カバー部材２４は、このカバー部材２４の一対の嵌合溝２４ａに前記取付部材２１の前記切起し片２１ｄがスライドして嵌合し、前記複数の発光素子２２が実装された前記基板２３を覆うように前記取付部材２１に取付けられており、
　前記光源部２を前記器具本体１に対して移動すると、前記取付部材２１の傾斜状の前記第２の側壁２１ｃが前記係止部材４の前記係止爪４ａに当接し、この状態からさらに前記光源部２の移動を進め、前記係止爪４ａの弾性に抗して前記収容凹部１１に押し込むようにすることにより、前記係止爪４ａが前記第２の側壁２１ｃによって外側に弾性変形し、前記光源部２が前記収容凹部１１内へ移動し、そして、前記第２の側壁２１ｃが所定量前記収容凹部１１内へ入ると、前記係止爪４ａの弾性変形が解かれ、前記取付部材２１が前記係止爪４ａによって所定位置に係合保持され、
　前記天板部１１ａの外面側には、取付穴１１ｆが形成され、この取付穴１１ｆには、天井の構造体に設けられた取付ボルトＢｔが外面側から貫通し、前記器具本体１が天井面に設置されるようになっており、前記取付穴１１ｆの周囲には、前記取付穴１１ｆを補強するために、外面側へドーム状に突出する補強部１１ｇが形成され、　
　前記天板部１１ａの外面側の前記補強部１１ｇ及び前記側板部１１ｃの前記背面側一端部が天井面Ｃに密着して設置される器具本体１。」
　
（３）引用発明との対比
ア　本件補正発明と引用発明とを対比する。
（ア）後者の「基板２３」は、前者の「基板」に相当する。後者の「前記基板２３は、前記取付部材２１の取付面２１ａにねじ止め等によって、その裏面側が前記取付面２１ａに密着するように取付けられ」との事項の内の「取付面２１ａ」は、「基板２３」を支持するものといえるので、前者の「支持体」に相当する。
（イ）後者の「カバー部材２４」は、前者の「カバー」に相当する。
（ウ）前者の「保持部材」は本願明細書の段落【００１４】の「保持部材１３は、
カバー１２を
保持する
（エ）後者の「このカバー部材２４の一対の嵌合溝２４ａに前記取付部材２１の前記第１の側壁に形成された前記切起し片２１ｄがスライドして嵌合し、前記複数の発光素子２２が実装された前記基板２３を覆うように前記取付部材２１に取付けられており」との構成は、前者の「前記カバーが前記支持体に支持された基板を覆う」との構成に相当する。また、「光源部２」は「横長であって長尺状に形成され」た「取付部材２１」を備えるものであるから、「取付部材２１」と同様に長尺状であること、及び後者の「取付部材２１と、複数の発光素子２２が実装された基板２３と、カバー部材２４とが組合わされて一体化されて構成され」た「光源部２」は、「前記光源部２が前記収容凹部１１内へ移動し」との事項、及び【図５】等を参照すると、「取付部材２１」、「基板２３」、及び「カバー部材２４」とが一体化されて器具本体１の収容凹部１１に移動するものであって、ユニット化されているものといえることから、後者のかかる「光源部２」は、前者の「前記カバーが前記支持体に支持された基板を覆う長尺状の光源モジュール」に相当する。
（オ）後者の「光源部２を取付けて保持する係止部材４を備える器具本体１」は、後者の「前記収容凹部１１の前記側壁１１ｂにおける長手方向の両端部には、一対の係止爪通過孔１１ｄが形成され、この係止爪通過孔１１ｄには、前記係止部材４の係止爪４ａが配置されるようになっており、また、この一対の係止爪通過孔１１ｄと対向するように前記側板部１１ｃには、係止爪４ａを解除操作するために用いられる解除孔１１ｅが形成され」との事項によれば、「光源部２」を着脱可能に支持することは明らかであるから、前者の「光源モジュールを着脱可能に支持する器具本体」に相当する。
（カ）上記（ア）〜（オ）を総合すると、後者の「光源部２を取付けて保持する係止部材４を備える器具本体１」は、前者の「支持体とカバーと保持部材を有し、前記カバーが前記支持体に支持された基板を覆う長尺状の光源モジュールを着脱可能に支持する器具本体」に相当する。
（キ）後者の「器具本体１」に形成される「亜鉛めっき鋼板を折曲して形成され、長手方向に沿って略中央部に、開口部側を覆うように光源部２が配設される収容凹部１１」は、【図４】等を参照すると、光源部２の少なくとも一部を収容する凹部を有することは明らかであるから、前者の「前記光源モジュールの少なくとも一部を収容する凹部を有する筐体」に相当する。
（ク）後者の「光源部２を取付けて保持する係止部材４」は、「ばね材によって略コ字状に折曲して形成されている」ものであって、「前記光源部２を前記器具本体１に対して移動すると、前記取付部材２１の傾斜状の前記第２の側壁２１ｃが前記係止部材４の前記係止爪４ａに当接し、この状態からさらに前記光源部２の移動を進め、前記係止爪４ａの弾性に抗して前記収容凹部１１に押し込むようにすることにより、前記係止爪４ａが前記第２の側壁２１ｃによって外側に弾性変形し、前記光源部２が前記収容凹部１１内へ移動し、そして、前記第２の側壁２１ｃが所定量前記収容凹部１１内へ入ると、前記係止爪４ａの弾性変形が解かれ、前記取付部材２１が前記係止爪４ａによって所定位置に係合保持され」るものであるから、前者の「前記筐体に設けられ、前記凹部に収容された前記光源モジュールの前記保持部材と係合することにより、前記光源モジュールの前記凹部から抜ける方向への移動を規制する取付バネ」に相当する。
（ケ）後者の「光源部２と対向する内面」及び「前記内面と反対側を向く外面」は、前者の「光源モジュールと対向する対向面」及び「前記対向面と反対側を向く反対面」に相当し、後者の「光源部２と対向する内面と前記内面と反対側を向く外面を有する天板部１１ａ」は、前者の「前記光源モジュールと対向する対向面と、前記対向面と反対側を向く反対面と、を有する底板部」に相当する。
（コ）後者の「この天板部１１ａの両側から前面側に直角に垂下するように折曲されて形成された一対の側壁１１ｂ」は、天板部１１ａとともに凹部を形成することは明らかであるから、前者の「前記底板部の両側端から前記対向面の向く方向に延び、前記底板部とともに前記凹部を形成する一対の側板部」に相当する。
（サ）後者の「前記収容凹部１１の前記側壁１１ｂの前面側の両側は、側面視、略Ｖ字状に折曲されて前記収容凹部１１に沿って側板部１１ｃが形成され、この側板部１１ｃは、側面形状が背面方向へ拡がる傾斜面を備える」との事項における「側板部１１ｃ」は、前者の「前記一対の側板部の前記底板部と反対側の端部から前記反対面の向く方向かつ前記底板部よりも外側に向かって斜めに延びる一対の傾斜板部」に相当する。
（シ）後者の「前記側板部１１ｃの前記一対の側壁１１ｂの前面側と反対側の端部から前記側板部１１ｃ側に向かって延びる一対の背面側一端部」は、前者の「前記一対の傾斜板部の前記一対の側板部と反対側の端部から前記一対の側板部側に向かって延びる一対の端板部」に相当する。
（ス）上記（ケ）〜（シ）より、後者の「この収容凹部１１は、光源部２と対向する内面と前記内面と反対側を向く外面を有する天板部１１ａと、この天板部１１ａの両側から前面側に直角に垂下するように折曲されて形成された一対の側壁１１ｂとから構成され、前記収容凹部１１の前記側壁１１ｂの前面側の両側は、側面視、略Ｖ字状に折曲されて前記収容凹部１１に沿って側板部１１ｃが形成され、この側板部１１ｃは、側面形状が背面方向へ拡がる傾斜面を備えるとともに、前記側板部１１ｃの前記一対の側壁１１ｂの前面側と反対側の端部から前記側板部１１ｃ側に向かって延びる一対の背面側一端部が形成され」との構成は、前者の「前記筐体は、前記光源モジュールと対向する対向面と、前記対向面と反対側を向く反対面と、を有する底板部と、前記底板部の両側端から前記対向面の向く方向に延び、前記底板部とともに前記凹部を形成する一対の側板部と、前記一対の側板部の前記底板部と反対側の端部から前記反対面の向く方向かつ前記底板部よりも外側に向かって斜めに延びる一対の傾斜板部と、前記一対の傾斜板部の前記一対の側板部と反対側の端部から前記一対の側板部側に向かって延びる一対の端板部と、を有し」との構成に相当する。
（セ）後者の「前記側板部１１ｃの前記背面側一端部が天井面Ｃに密着して設置される」との構成は、【図４】等を参照すると、背面側一端部が天板部１１ａよりも外面の向く側に位置することは明らかであるから、前者の「前記一対の端板部は、前記底板部よりも前記反対面の向く側に位置し、前記筐体を天井に設置する際に、天井面に当接し」との構成に相当する。
（ソ）後者の「外面側へドーム状に突出する補強部１１ｇ」は、前者の「反対面の向く方向に突出した突起部」に相当し、後者の「前記取付穴１１ｆの周囲には、前記取付穴１１ｆを補強するために、外面側へドーム状に突出する補強部１１ｇが形成され」との構成は、前者の「前記底板部は、前記反対面よりも前記反対面の向く方向に突出した突起部を有」する構成に相当する。
イ　以上のことから、本件補正発明と引用発明との一致点及び相違点は、次のとおりである。
　【一致点】
「支持体とカバーと保持部材を有し、前記カバーが前記支持体に支持された基板を覆う長尺状の光源モジュールを着脱可能に支持する器具本体であって、
　前記光源モジュールの少なくとも一部を収容する凹部を有する筐体と；
　前記筐体に設けられ、前記凹部に収容された前記光源モジュールの前記保持部材と係合することにより、前記光源モジュールの前記凹部から抜ける方向への移動を規制する取付バネと；
　を備え、
　前記筐体は、
　　前記光源モジュールと対向する対向面と、前記対向面と反対側を向く反対面と、を有する底板部と、
　　前記底板部の両側端から前記対向面の向く方向に延び、前記底板部とともに前記凹部を形成する一対の側板部と、
　　前記一対の側板部の前記底板部と反対側の端部から前記反対面の向く方向かつ前記底板部よりも外側に向かって斜めに延びる一対の傾斜板部と、
　　前記一対の傾斜板部の前記一対の側板部と反対側の端部から前記一対の側板部側に向かって延びる一対の端板部と、
　を有し、
　前記一対の端板部は、前記底板部よりも前記反対面の向く側に位置し、前記筐体を天井に設置する際に、天井面に当接し、
　前記底板部は、前記反対面よりも前記反対面の向く方向に突出した突起部を有する器具本体。」
　
【相違点】
　本件補正発明は、「前記突起部は、前記取付ばねの近傍に設けられ、前記突起部の前記反対面からの高さは、前記一対の端板部の前記反対面からの高さ以下である」のに対し、
　引用発明は、「補強部１１ｇ」と「係止部材４」の配置関係の特定がなく、「前記天板部１１ａの外面側の前記補強部１１ｇ及び前記側板部１１ｃの前記背面側一端部が天井面Ｃに密着して設置される」点。
（４）判断
　以下、相違点について検討する。
　ア　「前記突起部の前記反対面からの高さは、前記一対の端板部の前記反対面からの高さ以下である」ことについて
　本件補正発明の「前記突起部の前記反対面からの高さは、前記一対の端板部の前記反対面からの高さ以下である」ことは、突起部の反対面からの高さが、一対の端板部の反対面からの高さが同じであることを含むものである。そして、その技術的意味は、本願明細書の段落【００９１】に記載されているように「突起１２６の高さは、各端部１２３ａ、１２４ａの高さ以下であることが好ましい。これにより、各端部１２３ａ、１２４ａと天井面との間に隙間が生じてしまうことを抑制することができる。但し、突起１２６の高さと各端部１２３ａ、１２４ａの高さとの差が大きくなると、筐体１１２の変形を抑える効果が弱くなってしまう。このため、突起１２６の高さと各端部１２３ａ、１２４ａの高さとの差は、例えば、５ｍｍ以下であることが好ましい。そして、
突起１２６の高さが、各端部１２３ａ、１２４ａの高さと実質的に同じであることが、最も好適である。
　これに対し、引用発明は、「前記天板部１１ａの外面側の前記補強部１１ｇ及び前記側板部１１ｃの前記背面側一端部が天井面Ｃに密着して設置される」ものであるから、「補強部１１ｇ」の「天板部１１ａ」の外面からの高さと「一対の背面側一端部」の「天板部１１ａ」の外面からの高さとは同一のものといえる。
　したがって、引用発明も、「補強部１１ｇ」の「天板部１１ａ」の外面からの高さは、「一対の背面側一端部」の「天板部１１ａ」の外面からの高さ以下といえるものである。
イ　「前記突起部は、前記取付ばねの近傍に設けられ」について
　本件補正発明の「突起部」に相当する引用発明の「補強部１１ｇ」の配置は、引用発明の「前記天板部１１ａの外面側には、取付穴１１ｆが形成され、この取付穴１１ｆには、天井の構造体に設けられた取付ボルトＢｔが外面側から貫通し、前記器具本体１が天井面に設置されるようになっており、前記取付穴１１ｆの周囲には、前記取付穴１１ｆを補強するために、外面側へドーム状に突出する補強部１１ｇが形成され」との事項から、取付穴１１ｆの周囲に配置されるものであるが、さらに、引用発明の「前記収容凹部１１の前記一対の側壁１１ｂには、一対の係止爪通過孔１１ｄが形成され、この係止爪通過孔１１ｄには、前記係止部材４の係止爪４ａが配置されるようになっており」との事項から、係止部材４の係止爪４ａを配置するための一対の係止爪通過孔１１ｄが一対の側壁１１ｂに形成されているところ、引用文献１の【図２】、【図３】、及び【図６】等から、器具本体１の長手方向において、「補強部１１ｇ」と「一対の係止爪通過孔１１ｄ」は近傍に配置されていることが看取できる。
　そして、引用発明の「係止部材４」は、「ばね材によって略コ字状に折曲して形成されているとともに、前記係止部材４の両端には、係止爪４ａが内側に折曲して形成され、この係止爪４ａが前記収容凹部１１の係止爪通過孔１１ｄを通って配置され」ているものであるから、引用発明の「補強部１１ｇ」も「係止部材４」の近傍に設けられているものといえる。
ウ　以上ア及びイから、上記相違点は、実質的な相違とはいえないから、本件補正発明は引用発明である。
エ　仮に、引用発明の「補強部１１ｇ」が「係止部材４」の近傍に設けられているとまでいえない場合について、以下の（ア）と（イ）の二通りの理由に分けて検討する。
（ア）引用文献１には、「係止部材４」の器具本体１の長手方向における配置に関し、特に、特定の場所に設けなければならない旨、記載されていないことに基づけば、該「係止部材４」の配置は、適宜変更可能なものといえるから、該「係止部材４」を「補強部１１ｇ」に接近させて、当該「係止部材４」を「補強部１１ｇ」の近傍と位置づけ得る場所に設けることは、当業者であれば、適宜なし得ることである。
　そして、引用発明は「第２の側壁２１ｃが所定量前記収容凹部１１内へ入ると、前記係止爪４ａの弾性変形が解かれ、前記取付部材２１が前記係止爪４ａによって所定位置に係合保持され」るものであって、「光源部２」の荷重は、「係止爪４ａ」が形成された「略コ字状に折曲して形成されている」「係止部材４」を介して「天板部１１ａの外面側」にかかるものであるから、該「係止部材４」を「補強部１１ｇ」の近傍と位置づけ得る場所に設ければ、「補強部１１ｇ」により、荷重がかかる当該「天板部１１ａの外面側」を補強することになるものである。
（イ）引用発明の「補強部１１ｇ」は、「取付穴１１ｆを補強するため」のもの、つまり、「取付穴１１ｆ」の周囲の「天板部１１ａ」を補強するものといえる。
　そして、上記（ア）で検討したように、引用発明の「係止部材４」が配置される「天板部１１ａの外面側」には、「光源部２」の荷重がかかるものであるところ、荷重がかかる構造体に突起等を設けて補強することは、機械分野において、一般的によく行われていることであるから、該「天板部１１ａの外面側」を補強するために、「係止部材４」を「補強部１１ｇ」に接近させるか、若しくは、該「天板部１１ａの外面側」の近傍に別途「補強部１１ｇ」を配置して、「係止部材４」を「補強部１１ｇ」の近傍と位置づけ得る場所に設けることは、当業者であれば格別な困難性をともなうことなくなし得ることである。
オ　上記エで述べた各理由から、上記相違点に係る本願補正発明の発明特定事項とすることは、当業者が容易に想到し得たことである。
　
カ　そして、これらの相違点を総合的に勘案しても、本件補正発明の奏する作用効果は、引用発明の奏する作用効果から予測される範囲内のものにすぎず、格別顕著なものということはできない。
　
キ　請求人の主張について
（ア）請求人は、令和２年７月１４日に提出された審判請求書の（５）で、
「すなわち、本願は取付バネの近傍に突起部配設していることから、光源ユニットの着脱の際かかる取付バネの弾性力による筐体への変形を抑制することができるので、光源ユニットの着脱を容易にすることができるという効果を奏することができるのです。」
と主張するので、検討する。
（イ）検討
　引用発明の「係止部材４」を「補強部１１ｇ」の近傍と位置づけ得る場所に設ければ、「光源部２」の着脱の際かかる「係止部材４」の弾性力による「収容凹部１１」への変形を抑制することは明らかであるから、「光源部２」の着脱を容易にすることができるという効果は、当業者が予測しうる程度のものである。
　よって、請求人の主張は、採用できない。
ク　以上のとおり、上記ア〜キを総合すると、本件補正発明は、引用発明であるから、特許法第２９条第１項第３号の規定により、特許出願の際独立して特許を受けることができないものである。また、本件補正発明と引用発明との間に相違点が存在するとしても、本件補正発明は、引用発明に基づいて、当業者が容易に発明をすることができたものであるから、特許法第２９条第２項の規定により、特許出願の際独立して特許を受けることができないものである。
　
３　本件補正についてのむすび
　よって、本件補正は、特許法１７条の２第６項において準用する同法１２６条７項の規定に違反するので、同法１５９条１項の規定において読み替えて準用する同法５３条１項の規定により却下すべきものである。
　よって、上記補正の却下の決定の結論のとおり決定する。
　
第３　本願発明について
１　本願発明
　令和２年７月１４日にされた手続補正は、上記のとおり却下されたので、本願の請求項に係る発明は、令和１年１１月７日にされた手続補正により補正された特許請求の範囲の請求項１ないし６に記載された事項により特定されるものであるところ、その請求項１に係る発明（以下「本願発明」という。）は、その請求項１に記載された事項により特定される、前記第２［理由］１（２）に記載のとおりのものである。
２　原査定の拒絶の理由
　原査定の拒絶の理由は、以下の理由を含むものである。
（１）この出願の請求項１に係る発明は、本願の原出願日前に頒布された下記の引用文献１に記載された発明であるから、特許法第２９条第１項第３号に該当し、特許を受けることができない。
（２）この出願の請求項１に係る発明は、本願の原出願日前に頒布された下記の引用文献１に記載された発明に基づいて、その原出願日前にその発明の属する技術の分野における通常の知識を有する者が容易に発明をすることができたものであるから、特許法第２９条第２項の規定により特許を受けることができない。
引用文献１：特開２０１２−３９９３号公報
３　引用文献
　原査定の拒絶の理由で引用された引用文献１の記載事項は、上記「第２［理由］２（２）」に記載したとおりである。
　
４　対比・判断
　本願発明は、上記「第２［理由］２」で検討した本件補正発明から、「光源モジュール」について「支持体とカバーと保持部材を有し、前記カバーが前記支持体に支持された基板を覆う」との事項を、「突起部」について「前記取付ばねの近傍に設けられ」との事項を省いたものである。
　そうすると、本願発明の発明特定事項を全て含み、さらに他の事項を付加したものに相当する本件補正発明が、前記第２の［理由］２（３）、（４）に記載したとおり、引用発明であるか、また、相違点が存在するとしても、引用発明に基いて当業者が容易に発明をすることができたものであるから、本願発明も、引用発明であるか、また、相違点が存在するとしても、引用発明に基いて当業者が容易に発明をすることができたものである。
　
第４　むすび
　以上のとおり、本願発明は、引用発明であるから、特許法第２９条第１項第３号の規定により特許を受けることができない。また、本願発明は、引用発明に基いて当業者が容易に発明をすることができたものであるから、特許法第２９条第２項の規定により特許を受けることができない。
　したがって、その余の請求項について検討するまでもなく、本願は拒絶されるべきものである。
　よって、結論のとおり審決する。